(57)【要約】【課題】容器を順次重ね合わせながら生育を進行させる栽培方法において、容器を複数重ねた場合に、上側に位置した容器の重さによって下側に位置した容器内部の用土に加わる圧力を軽減させ、かつ、容器の収納スペースを省スペース化させる。【解決手段】側壁部１２と底壁部１６とによって形成され、上面が開口した植物栽培用容器（植木鉢１０）は、底壁部１２に複数の孔１１が形成され、側壁部１２は、容器の内側に凹む複数の凹部１３と、凹部１３以外の非凹部とによって形成され、凹部１３は、同形の他の容器の非凹部が位置合わせされて上側から重ねられた他の容器の非凹部を支持することで、他の容器を支持する支持部であり、他の容器の凹部１３が位置合わせされて上側から重ねられた他の容器の凹部１３を支持することなく、他の容器が容器内側に収納されるように形成されたことを特徴とする。【選択図】図６
2010172314.tif 000002
【特許請求の範囲】
【請求項１】
側壁部と底壁部とによって形成され、上面が開口した植物の栽培に用いる植物栽培用容器であって、
前記底壁部に複数の孔が形成され、
前記側壁部は、容器の内側に凹む複数の凹部と、当該凹部以外の非凹部とによって形成され、
前記凹部は、
同形の他の容器の非凹部が位置合わせされて上側から重ねられた当該他の容器の非凹部を支持することで、前記他の容器を支持する支持部であり、
前記他の容器の凹部が位置合わせされて上側から重ねられた当該他の容器の凹部を支持することなく、前記他の容器が容器内側に収納されるように形成される
ことを特徴とする植物栽培用容器。
【請求項２】
前記凹部は、前記容器の中心軸方向に近づくにつれて横幅が狭くなるように形成された
請求項１記載の植物栽培用容器。
【請求項３】
前記側壁部は、前記底壁部側から前記上面に向かい、徐々に開口面積が広がる形に形成された
請求項１または請求項２記載の植物栽培用容器。
【請求項４】
前記凹部は、前記側壁部の下端から上端までが同一形状に形成された
請求項１から請求項３記載の植物栽培用容器。
【請求項５】
前記側壁部の横断面形状は略円形状であり、さらにその外周上に、前記容器の中心方向に凹む複数の凹部が形成された
請求項１から請求項４のうちいずれか１項に記載の植物栽培用容器。
【請求項６】
植物の栽培方法であって、
栽培対象とする植物の生育段階を２以上の段階に分類し、
側壁部と底壁部とによって形成され、上面が開口した植物の栽培に用いる植物栽培用容器であって、前記底壁部に複数の孔が形成され、前記側壁部は、容器の内側に凹む複数の凹部と、当該凹部以外の非凹部とによって形成され、前記凹部は、同形の他の容器の非凹部が位置合わせされて上側から重ねられた当該他の容器の非凹部を支持することで、前記他の容器を支持する支持部であり、前記他の容器の凹部が位置合わせされて上側から重ねられた当該他の容器の凹部を支持することなく、前記他の容器が容器内側に収納されるように形成された植物栽培用容器を、複数個用意し、
前記容器の１つに、第１生育段階に応じた肥料を混合した用土を充填し、
前記第１生育段階に応じた肥料が混合された用土が充填された前記容器を第１生育段階用容器として、植物の種若しくは苗を植え付け、
前記種若しくは苗の成長が第２生育段階に至ったときに、
前記容器の１つに、第２生育段階に応じた用土を、前記支持部が他の容器を支持する高さ付近まで充填し、
前記第１生育段階用容器を、前記第２生育段階用の用土が充填された第２生育段階用容器に形成されている支持部により支持させることで、前記第２生育段階用容器の上側に重ね合わせ、
以後、前記栽培対象とする植物の成長に応じて、最下部の容器を、次の生育段階に応じた用土が前記支持部が他の容器を支持する高さ付近まで充填された容器に形成された支持部により支持させて、容器の上側に重ね合わせていくことにより、生育を進行させる
ことを特徴とする植物の栽培方法。
【発明の詳細な説明】
【技術分野】
【０００１】
本発明は、植物の栽培に用いる植物栽培用容器、及び植物栽培用容器を用いた植物の栽培方法に関する。
【背景技術】
【０００２】
従来から、鉢やプランター等の容器を用いた野菜等の栽培方法として、多くの方法が提案されている。本願に係る発明をした者の１人が先に出願し、登録された栽培方法もその１つである（特許文献１）。これは、鉢やプランター等、上面が開口し、下面に連通孔を有する容器を複数個用いるもので、複数の容器の開口部が、それぞれ異なる大きさであり、それらに、栽培対象とする野菜等の生育段階に応じた肥料を混合せしめた用土を詰め、順次重ね合わせながら生育を進行させる栽培方法であり、それなりの良い結果を得ることができた。
【先行技術文献】
【特許文献】
【０００３】
【特許文献１】特許第２７４４２１０号公報
【発明の概要】
【発明が解決しようとする課題】
【０００４】
しかしながら、上述した栽培方法では、容器を重ねるほど、下に位置した容器内部の用土に圧力がかかり、根の成長を阻害してしまうという問題があった。
【０００５】
また、上述した栽培方法では、１度の栽培に複数の容器を用いるので、使用していない容器の収納スペースが過大になるという問題があった。
【０００６】
本発明は、上記の問題を解決すべく、容器を順次重ね合わせながら生育を進行させる栽培方法において、容器を複数重ねても、上側に位置した容器及びその内部の重さによって下側に位置した容器内部の用土に加わる圧力を軽減させることができ、かつ、使用していない容器の収納スペースを省スペース化させることができるようにすることを目的とする。
【課題を解決するための手段】
【０００７】
本発明の植物栽培用容器は、側壁部と底壁部とによって形成され、上面が開口した植物の栽培に用いる植物栽培用容器であって、前記底壁部に複数の孔が形成され、前記側壁部は、容器の内側に凹む複数の凹部と、当該凹部以外の非凹部とによって形成され、前記凹部は、同形の他の容器の非凹部が位置合わせされて上側から重ねられた当該他の容器の非凹部を支持することで、前記他の容器を支持する支持部であり、前記他の容器の凹部が位置合わせされて上側から重ねられた当該他の容器の凹部を支持することなく、前記他の容器が容器内側に収納されるように形成されたことを特徴とする。
【０００８】
上記の構成としたことで、容器を順次重ね合わせながら生育を進行させる栽培方法において、容器を複数重ねても、上側に位置した容器及びその内部の重さによって下側に位置した容器内部の用土に加わる圧力を軽減させることができ、かつ、使用していない容器の収納スペースを省スペース化させることができるようになる。
【０００９】
前記凹部は、前記容器の中心軸方向に近づくにつれて横幅が狭くなるように形成されていてもよい。
【００１０】
前記側壁部は、前記底壁部側から前記上面に向かい、徐々に開口面積が広がる形に形成されていてもよい。
【００１１】
前記凹部は、前記側壁部の下端から上端まで同一形状に形成されていてもよい。
【００１２】
前記側壁部の横断面形状は略円形であり、さらにその外周上の複数個所が容器の中心軸方向に凹む形に形成されていてもよい。
【００１３】
また、本発明の植物の栽培方法は、植物の栽培方法であって、栽培対象とする植物の生育段階を２以上の段階に分類し、側壁部と底壁部とによって形成され、上面が開口した植物の栽培に用いる植物栽培用容器であって、前記底壁部に複数の孔が形成され、前記側壁部は、容器の内側に凹む複数の凹部と、当該凹部以外の非凹部とによって形成され、前記凹部は、同形の他の容器の非凹部が位置合わせされて上側から重ねられた当該他の容器の非凹部を支持することで、前記他の容器を支持する支持部であり、前記他の容器の凹部が位置合わせされて上側から重ねられた当該他の容器の凹部を支持することなく、前記他の容器が容器内側に収納されるように形成された植物栽培用容器を、複数個用意し、前記容器の１つに、第１生育段階に応じた肥料を混合した用土を充填し、前記第１生育段階に応じた肥料が混合された用土が充填された前記容器を第１生育段階用容器として、植物の種若しくは苗を植え付け、前記種若しくは苗の成長が第２生育段階に至ったときに、前記容器の１つに、第２生育段階に応じた用土を、前記支持部が他の容器を支持する高さ付近まで充填し、前記第１生育段階用容器を、前記第２生育段階用の用土が充填された第２生育段階用容器に形成されている支持部により支持させることで、前記第２生育段階用容器の上側に重ね合わせ、以後、前記栽培対象とする植物の成長に応じて、最下部の容器を、次の生育段階に応じた用土が前記支持部が他の容器を支持する高さ付近まで充填された容器に形成された支持部により支持させて、容器の上側に重ね合わせていくことにより、生育を進行させることを特徴とする。
【発明の効果】
【００１４】
本発明によれば、容器を順次重ね合わせながら生育を進行させる栽培方法において、容器を複数重ねても、上側に位置した容器及びその内部の重さによって下側に位置した容器内部の用土に加わる圧力を軽減させることができ、かつ、使用していない容器の収納スペースを省スペース化させることができるようになる。
【図面の簡単な説明】
【００１５】
【図１】本発明に係る植物栽培用容器の一実施の形態を示す斜視図である。
【図２】本発明に係る植物栽培用容器の一実施の形態を示す上面図である。
【図３】本発明に係る植物栽培用容器の一実施の形態を示す上面図と正面図である。
【図４】本発明に係る植物栽培用容器の一実施の形態を示す上面図と正面図である。
【図５】図１の栽培用容器に用土を充填し、野菜の苗を植生した状態を示す断面図である。
【図６】本発明の植物の栽培方法の実施の形態を示す上面図及び断面図である。
【図７】本発明と比較した植物の栽培方法の様子を示す断面図である。
【図８】他の実施の形態を示す上面図と正面図である。
【図９】他の実施の形態を示す斜視図である。
【図１０】他の実施の形態を示す上面図である。
【発明を実施するための形態】
【００１６】
以下、本発明の一実施の形態について図面を参照して説明する。
【００１７】
図１は、本発明の一実施の形態である植木鉢１０を示す斜視図である。図１に示すように、植木鉢１０は、側壁部１２と底壁部１６とによって形成され、上面が開口している。ここで、側壁部１２は、容器の内側に凹む複数の凹部１３が設けられているものとする。
【００１８】
図２は、植木鉢１０の上面図である。図２に示すように、底壁部１６には、植物の根が植木鉢１０の内部から外部へ伸びていけるように形成された複数の孔１１が設けられている。なお、本例において植木鉢１０は、側壁部１２の横断面形状が略円形状であり、さらにその外周上に、植木鉢１０の中心軸方向に凹む複数の凹部が形成されているものとする。これにより、複数の植木鉢１０を、下側になる植木鉢１０の凹部１３が上側になる植木鉢１０を支持するように重ね合わせる場合に、他の形（例えば四角形や楕円形）よりも、植物の栽培に利用できない無駄なスペースを少なくすることができる。
【００１９】
図３と図４は、サイズの異なる植木鉢１０Aと植木鉢１０Bを重ね合わせたときの状態を説明するための上面図（図３Ａ、図４Ａ）と正面図（図３Ｂ、図４Ｂ）である。図３に示すように、植木鉢１０Bの上側から植木鉢１０Aを重ね合わせるときに、植木鉢１０Bの凹部１３ｂと、植木鉢１０Ａの凹部１３ａ以外の部分（非凹部）とを位置合わせして重ねることにより、植木鉢１０Ｂの凹部１３ｂに植木鉢１０Ａを支持させることができる。なお、重ね合わせた際に植木鉢全体が安定するように、例えば植木鉢１０の上面及び下面に嵌合部が設けられた構造としてもよい。また、凹部１３は、植木鉢１０が上側から重ねられた他の容器から受ける荷重をバランスよく分散して支持できる位置に配設されていることが好ましく、本例においては、２つの凹部１３が互いに対向する位置に設けられていることとする。
【００２０】
一方、図４に示すように、植木鉢１０Ｂの上側から植木鉢１０Ａを重ね合わせるときに、植木鉢１０Ｂの凹部１３ｂと、植木鉢１０Ａの凹部１３ａとを位置合わせして重ねることにより、凹部１３ｂに植木鉢１０Ａを支持させることなく植木鉢１０Ｂの内側に植木鉢１０Ａを収納することができる。なお、凹部１３ａは凹部１３ｂよりも横幅が１回り程度広く形成されていることとする。
【００２１】
次に、植木鉢１０を使用して行う栽培方法を説明する。本実施例においては、サイズの異なる植木鉢１０を３個（植木鉢１０Ａ、植木鉢１０Ｂ、植木鉢１０Ｃ）使用する場合を例にして説明を行う。なお、使用する植木鉢１０の大きさ等は、凹部１３により他の植木鉢１０を支持でき、かつ、互いの凹部１３を位置合わせすることにより、上側の植木鉢１０が下側の植木鉢１０に収納できることを条件に選択することが好ましい。これにより、後述する用土を充填するときまで、複数の植木鉢１０を重ね合わせて収納することができる。
【００２２】
先ず、栽培対象となる植物の生育段階を、複数の段階に分ける。本例においては、栽培対象として市販のナスの苗Ａ（以下「苗Ａ」とする。）の生育段階を第１から第３生育段階に分類した。なお、苗Ａの根が植木鉢１０Ａ内の用土に十分に着根するまでを「第１生育段階」とし、その後苗Ａの根が植木鉢１０Ｂの内部にまで伸びるまでを「第２生育段階」とし、それ以降を「第３生育段階」とした。なお、ナスは野菜の中でも根が深く生長する種類のものである。
【００２３】
次に、図５に示すように、植木鉢１０Ａに、第１生育段階に適した用土１４ａを充填し、苗Ａを植える。本例において用土１４ａは、赤土、堆肥、過燐酸石灰、化成肥料、その他を混合したものを使用した。なお、用土１４ａは、凹部１３ａの上端の位置よりも高い位置まで充填されてもよい。
【００２４】
用土１４ａの中に苗Ａの根が十分に着根したら、植木鉢１０Ｂの凹部１３ｂの上端より若干高い位置まで第２生育段階に適した用土１４ｂを充填し、植木鉢１０Ａを植木鉢１０Ｂの上側に重ね合わせる（図６参照）。このとき、凹部１３ｂにより植木鉢１０Ａが支持されるように重ね合わせる。植木鉢１０Ａを凹部１３ｂにより支持させることで、用土１４ｂに過大な圧力がかからないようにすることができる。なお、本例において用土１４ｂは、赤土、堆肥、過燐酸石灰、化成肥料、その他を混合したものを使用した。
【００２５】
さらに、苗Ａの根が用土１４ｂにまで達したら、植木鉢１０Ｃの凹部１３ｃの上端より若干高い位置まで第３生育段階に適した用土１４ｃを充填し、植木鉢１０Ｂを植木鉢１０Ｃの上側に重ねあわせる（図６参照）。このとき、植木鉢１０Ｃの凹部１３ｃの上端により植木鉢１０Ｂが支持されるように重ね合わせる。なお、本例において用土１４ｃは、赤土、堆肥、過燐酸石灰、化成肥料、その他を用土１４ｂとは異なる割合で混合したものを使用した。図６は、上記のようにして積み重ねられた状態の植木鉢１０Ａ，１０Ｂ，１０Ｃの上面図（図６Ａ）及び断面図（図６Ｂ）を示す。図６に示すように、一番下に位置した植木鉢１０Ｃの凹部１３ｃが、重ね合わされた他の植木鉢（１０Ａ、１０Ｂ）を支持しているので、用土１４ｃには大きな圧力がかからないようになっている。なお、各植木鉢に充填される用土の上面と植木鉢の底面との間に空間を設ける構造としてもよい。
【００２６】
本発明との比較対象として、図７に示すように、深型１０号鉢（φ＝３０ｃｍ、有効深さ約２３ｃｍ）を３つ重ねた深さを有する鉢１５（φ＝３０ｃｍ、有効深さ約６９ｃｍ）を用いて、上から用土１４ａ、用土１４ｂ、用土１４ｃの順に、本例で用いた量と同じ量の用土を充填した状態で市販のナスの苗Ｂ植えた。本実施例の結果を試験区として、比較対象の結果を対象区として表１に示す。
【００２７】
【表１】
2010172314.tif 000003
【００２８】
以上に説明したように、上述した一実施の形態では、側壁部１２と底壁部１６とによって形成され、上面が開口した植物の栽培に用いる植物栽培用容器（植木鉢１０）は、底壁部１２に複数の孔１１が形成され、側壁部１２は、容器の内側に凹む複数の凹部１３と、凹部１３以外の非凹部とによって形成され、凹部１３（例えば凹部１３ｂ）は、同形の他の容器（例えば植木鉢１０Ａ）の非凹部が位置合わせされて上側から重ねられた他の容器の非凹部を支持することで、他の容器を支持する支持部であり、他の容器（例えば植木鉢１０Ａ）の凹部１３（凹部１３ａ）が位置合わせされて上側から重ねられた他の容器の凹部１３を支持することなく、他の容器が容器（植木鉢１０Ｂ）内側に収納されるように形成されたことを特徴とする構造としているので、容器を複数重ねても、上側に位置した容器及びその内部の重さによって下側に位置した容器内部の用土１４（例えば用土１４ｂ、用土１４ｃ）に加わる圧力を軽減させることができ、かつ、使用していない容器の収納スペースを省スペース化させることができる。
【００２９】
すなわち、用土１４が圧縮されることで栽培対象となる植物の根の生育を阻害することを回避でき、使用していない容器は、凹部１３が支持部とならないように重ね合わせることで、重ね合わせた容器全体の高さ寸法を縮小させることができる。
【００３０】
また、上述した実施の形態では、植物栽培用容器（植木鉢１０）の側壁部１２の横断面形状が略円形状であり、さらにその外周上に、容器の中心方向に凹む複数の凹部１３が形成されているので、複数の容器（例えば植木鉢１０Ａ、１０Ｂ）を、下側になる容器の凹部１３（例えば凹部１３ｂ）が上側になる容器（例えば植木鉢１０Ａ）を支持するように重ね合わせる場合に、他の形（例えば四角形や楕円形）よりも、植物の栽培に利用できない無駄なスペースを少なくすることができる。
【００３１】
また、上述した実施の形態では、植物の栽培方法であって、栽培対象とする植物（例えばナス）の生育段階を２以上の段階に分類し、側壁部１２と底壁部１６とによって形成され、上面が開口した植物の栽培に用いる植物栽培用容器（植木鉢１０）であって、底壁部１６に複数の孔１１が形成され、側壁部１２は、容器の内側に凹む複数の凹部１３と、凹部１３以外の非凹部とによって形成され、凹部１３（例えば凹部１３ｂ）は、同形の他の容器（例えば植木鉢１０Ａ）の非凹部が位置合わせされて上側から重ねられた他の容器（植木鉢１０Ａ）の非凹部を支持することで、他の容器（植木鉢１０Ａ）を支持する支持部であり、他の容器の凹部（凹部１３ａ）が位置合わせされて上側から重ねられた他の容器の凹部（例えば凹部１３ａ）を支持することなく、他の容器が容器内側に（植木鉢１０Ａが植木鉢１０Ｂの内側に）収納されるように形成された植物栽培用容器を、複数個用意し（例えば植木鉢１０Ａ〜１０Ｃ）、容器の１つ（例えば植木鉢１０Ａ）に、第１生育段階に応じた肥料を混合した用土（例えば用土１４ａ）を充填し、第１生育段階に応じた肥料が混合された用土が充填された容器を第１生育段階用容器として、植物の種若しくは苗を植え付け、種若しくは苗の成長が第２生育段階に至ったときに、容器の１つ（例えば植木鉢１０Ｂ）に、第２生育段階に応じた用土（例えば用土１４ｂ）を、支持部（凹部１３ｂ）が他の容器を支持する高さ付近（凹部１３ｂの上端より若干高い位置）まで充填し、第１生育段階用容器（植木鉢１０Ａ）を、第２生育段階用の用土が充填された第２生育段階用容器に形成されている支持部（凹部１３ｂ）により支持させることで、第２生育段階用容器の上側に重ね合わせ、以後、栽培対象とする植物の成長に応じて、最下部の容器（例えば植木鉢１０Ｂ）を、次の生育段階に応じた用土（例えば用土１４ｃ）が支持部が他の容器を支持する高さ付近（凹部１３ｃの上端より若干高い位置）まで充填された容器（例えば容器１０Ｃ）に形成された支持部（凹部１３ｃ）により支持させて、容器の上側に重ね合わせていくことにより、生育を進行させることを特徴とする構成としたので、栽培対象の生育段階に合わせた用土を必要なだけ使用することができ、かつ、容器を複数積み重ねても、最下部の容器に充填された用土が過度に圧迫されて栽培対象の生育を阻害することがない。さらに、このような栽培方法を用いたとき、使用していない容器を重ね合わせて収納することで、必要な収納スペースを省スペース化することができる。
【００３２】
なお、上述した実施の形態では、１つの植物栽培用容器（植木鉢１０）に凹部１３が２つ形成されていることとしたが、本発明はこれに限定されるものではない。図８は本発明の他の実施の形態の例を示す説明図であり、図８Aが植木鉢の上面図を、図８Bが正面図を表す。図８に示すように、凹部１３は、所定の間隔で複数設けられていてもよい。複数の凹部１３をバランスよく設けることで、重ねられた容器の圧力が一定の箇所に集中することを防ぐことができるようになる。
【００３３】
なお、上述した実施の形態では特に言及していないが、側壁部１２は、例えば図９に示すように、底壁部１１から植物栽培用容器（植木鉢１０）の上面に向かい、徐々に開口面積が広がる構造としてもよい。このような構造とすることで、全く同じサイズの容器であっても重ね合わせることが可能となる。
【００３４】
なお、上述した実施の形態では特に言及していないが、凹部１３は、側壁部１２の下端から上端まで同一形状に形成された構造としてもよい。このような構造とすることで、スムーズに容器を重ね合わせることが可能となる。
【００３５】
なお、上述した実施の形態では特に言及していないが、図８に示したように、凹部１3は、容器（植木鉢１０）の中心軸方向に近づくにつれて横幅が狭くなるように形成されていることが好ましい。すなわち、側壁部１２の外周方向から中心軸方向に向けて凹部１３の幅寸法が短くなるように形成されていることが好ましい。このような構造とすることで、容器（植木鉢１０）の全体のサイズを小さくするだけで、本発明である栽培方法に使用する複数の植物栽培用容器とすることができる。
【００３６】
すなわち、凹部１３の横幅が均一に形成されている場合は、上側に重ねる容器（植木鉢１０）は下側になる容器と比べて全体サイズが小さく、かつ凹部１３が下側になる容器の凹部１３内に収納できる寸法となるように考慮しなければならない。つまり、下側になる容器の全ての寸法を同一の割合で小さくしたものでは、上側に重ねる容器としての条件を充足しない。一方、凹部１3が容器の中心軸方向に近づくにつれて横幅が狭くなるように形成されている場合には、上側に重ねる容器として、下側になる容器の全ての寸法を同一の割合で小さくしたものを選択することができるようになる。このような構造とすることで、本発明における上側に重ねる容器としての条件を満たした容器のうち、下側になる容器の寸法に近い容器を選択することが容易になる。すなわち、上側に重ねる容器として容量の多いものを選択することを容易にすることが可能となる。
【００３７】
なお、上述した実施の形態では特に言及していないが、凹部１３、例えば、図１０に示すように、植木鉢１０の内側に凹む弧状又は多角形状の湾曲凹部であってもよい。
【００３８】
また、凹部１３は、側壁部１２における凹部１３以外の部分と比べて壁厚が厚い構造とされていてもよい。このような構造とすることで、凹部１３が、上側から重ねられた他の容器を支持する支持部となっているときに、加えられる圧力破壊に対する耐性を高めることができる。
【００３９】
なお、上述した実施の形態では、栽培対象としてナスを用いたが、他の根菜類や葉菜（葉野菜）、果菜などであってもよい。
【産業上の利用可能性】
【００４０】
本発明によれば、容器を複数重ねても、上側に位置した容器及びその内部の重さによって下側に位置した容器内部の用土に加わる圧力を軽減させることができるようにすること、及び、このような栽培方法において、使用していない容器の収納スペースを省スペース化するのに有用である。
【符号の説明】
【００４１】
１０          植木鉢
１１          孔
１２          側壁部
１３          凹部
１４          用土
１６          底壁部
【図１】
2010172314.tif 000004
【図２】
2010172314.tif 000005
【図３】
2010172314.tif 000006
【図４】
2010172314.tif 000007
【図５】
2010172314.tif 000008
【図６】
2010172314.tif 000009
【図７】
2010172314.tif 000010
【図８】
2010172314.tif 000011
【図９】
2010172314.tif 000012
【図１０】
2010172314.tif 000013